(57)【要約】【課題】衣服やバッグなどを、使用者の好みに応じて、任意に形状を変化させて、保形可能なものとすることができる芯地を提供する。【解決手段】二枚の布帛１の間に、一定間隔を空けて、複数本の塑性変形可能なプラスチックワイヤ３が保持されているものを芯地とする。二枚の布帛は、接着剤で接着されればよく、例えばプラスチックワイヤ３を挟んだ状態で、低融点接着シート２ａを使用して、過熱加圧するなどして、接着されてもよい。【選択図】図１
0003129338.tif 000002
【実用新案登録請求の範囲】
【請求項１】
二枚の布帛の間に、一定間隔を空けて、複数本の塑性変形可能なプラスチックワイヤが保持されているものであり、上記二枚の布帛が、前記プラスチックワイヤを挟持した状態で接着剤で接着されていることを特徴とする任意に保形可能な芯地。
【請求項２】
前記接着剤が、前記プラスチックワイヤの融点より１０℃以上低い温度で融着する熱溶融性接着剤であることを特徴とする請求項１の芯地。
【請求項３】
前記布帛が合成繊維を含む不織布、織物又は編物であることを特徴とする請求項１又は２の芯地。
【請求項４】
前記プラスチックワイヤがポリオレフィン系線条体であることを特徴とする請求項１〜３いずれか1項の芯地。
【請求項５】
前記プラスチックワイヤの太さが１００〜２００００デニールであり、前記布帛の間に配置される前記プラスチックワイヤの間隔が、前記プラスチックワイヤのデニール数×［（０．５〜１．３）／１０００］ｃｍであることを特徴とする請求項１〜４いずれか1項の芯地。
【請求項６】
前記布帛の目付けが１５〜２００ｇ／ｍ２であることを特徴とする請求項１〜５いずれか1項の芯地。
【請求項７】
前記接着剤が低融点接着シートである請求項１〜６いずれか１項の芯地。
【請求項８】
布帛／接着剤／プラスチックワイヤ／接着剤／布帛という構成からなる請求項１〜７いずれか１項の芯地。
【考案の詳細な説明】
【技術分野】
【０００１】
本考案は、衣服やバッグなどの一部を使用者が任意に形状を変化させて安定して使用できるようにする、任意に保形可能な芯地に関する。
【背景技術】
【０００２】
衣服を立体的に整形し、その状態を保持するための衣服として、特許文献１には、衣服の身頃、襟、襟口、ポケット又はポケットフラップの周縁に沿って袋を形成し、該袋にワイヤを挿通することが開示される。しかし、このような構造では、衣服の襟やポケットなどの周縁に袋を形成する必要があり、そのため使用するワイヤの本数に応じて、袋を形成するという手数がかかるだけでなく、衣服のデザインを特殊なものとすることとなり、用途が限られるものであった。
【特許文献１】特許第３７８４３９８号公報
【考案の開示】
【考案が解決しようとする課題】
【０００３】
そこで、本考案は、衣服やバッグなどを、使用者の好みに応じて、任意に形状を変化させて、保形可能なものとすることができる芯地を提供することを課題とする。
【課題を解決するための手段】
【０００４】
本考案では、二枚の布帛の間に、一定間隔を空けて、複数本の塑性変形可能なプラスチックワイヤが保持されているものを芯地とすることにより、上記課題を解決した。この際、上記二枚の布帛は、前記プラスチックワイヤを挟持した状態で接着剤で接着されるようにする。
【０００５】
布帛を接着する接着剤の種類は特に限定されないが、熱溶融性接着剤であるのが扱いやすく、該接着剤は、布帛間に設置されるプラスチックワイヤの融点より１０℃以上低い温度で融着するものであるのが好ましく、低融点接着シートが使用されてもよい。熱溶融性接着剤としては、例えばポリアミド、ポリエステル、ポリエチレン、エチレン酢酸ビニル系、ポリビニルアルコール系など、接着芯地に使用されるようなものがいずれも使用できる。また、接着芯地として市販されるものを、直接使用してもよい。
【０００６】
なお、接着剤は、プラスチックワイヤを挟む二枚の布帛の片方に適用されてもよいが、より確実な接着を達成するためには、双方の布帛に接着剤を適用し、接着剤がプラスチックワイヤ表面にも確実に付着するようにするのがよい。
【０００７】
また、布帛は不織布、織物又は編物のいずれであってもよく、また、それを構成する繊維は、合成繊維（例えばポリエステル、ナイロン、アクリルなど）、半合成繊維（レーヨンなど）及び天然繊維（木綿、絹、羊毛など）のいずれからなるものであってもよく、これらの混紡、交織、交編品であってもよい。加熱切断して使用するためには、合成繊維を含む不織布、織物又は編物であるのが扱い易い。
【０００８】
プラスチックワイヤとしては、塑性変形可能なポリオレフィン系線条体を使用するのが好ましく、例えば、三井化学株式会社のポリエチレン製ワイヤ（商標登録：テクノロート）などが有用である。
【０００９】
プラスチックワイヤの太さは、１００〜２００００デニール程度のものがいずれも使用できるが、２００〜１００００デニール程度であるのが好ましい。また、布帛の間に配置されるプラスチックワイヤの間隔は、特に限定されないが、本考案の芯地を使用した衣服を、自然に変形し、それを保形及び復元するためには、その間隔は、プラスチックワイヤのデニール数×［（０．５〜１．３）／１０００］ｃｍ程度であるのが好ましい。
【００１０】
布帛の目付けは、特に限定されないが、プラスチックワイヤを確実に保持し、しかも、芯地として衣服表面に違和感を与えることなく使用できるためには、１５〜２００ｇ／ｍ２程度、特に２０〜１００ｇ／ｍ２程度であるのが好ましい。なお、プラスチックワイヤの上下に配置される布帛は布帛の種類や目付けの異なるものであってもよい。
【考案の効果】
【００１１】
本考案の芯地は、プラスチックワイヤの存在で、簡単に変形できる。そのため、この芯地を使用することにより、使用者は衣服に、好みに応じて撚れ感を付与し、ユーズド風（古着風）にして着用することが可能となる。また、プラスチックワイヤは耐洗濯性に優れ、また金属ワイヤのような危険性も少ない。更に、廃棄物処理においても問題のないものである。
【考案を実施するための最良の形態】
【００１２】
図面に本考案の一例を示す。図１の製品は、布帛１／低融点接着シート２ａ／プラスチックワイヤ３／低融点接着シート２ａ／布帛１を加熱加圧してなるものであり、プラスチックワイヤ３は１０００デニールの塑性変形性ポリエチレン線材（三井化学社製のテクノロート−登録商標−）であり、１ｃｍ間隔で平行に配置されている。布帛１は、ポリエステル繊維と木綿の混紡糸からなる平織物（目付け５０ｇ／ｍ２）で、低融点接着シート２ａはポリアミド製で、融点は１２０℃以下、プラスチックワイヤ３の融点は１４０℃であった。
【００１３】
次に、図２の製品は、ポリエステル製不織布１ａの片面に熱融着性接着剤層２ｂを設けた接着芯地の接着剤層２ｂの上に３０００デニールのプラスチックワイヤ３を２ｃｍ間隔に配置し、その上から、前記同様の接着芯地を、接着剤層２ｂを内側にして載置し、加熱加圧して、二枚の不織布１ａがプラスチックワイヤ３を挟んだ状態で、接着剤層２で一体化されたものである。
【００１４】
図３の製品は、図２で使用した接着芯地の接着剤層２ｂの上に１０００デニールのプラスチックワイヤ３を８ｍｍ間隔に並べ、その上にポリエステル製不織布１ａを置き、加熱加圧したものである。
【００１５】
これらの製品は、熱溶融製の繊維からなる布帛を使用しているので、図４のように、周囲(耳部４)を高周波で融着し、裁断することにより、プラスチックワイヤ３が外部に突出しない芯地として、任意形状で使用可能となる。なお、図１及び図２の製品は、プラスチックワイヤ３の表裏に接着剤が存在するため、そのまま裁断しても特に問題なく使用できるが、図３のように、片面にのみ接着剤が存在するようにして製造した製品は、図４のように周囲を融着して使用するのが好ましい。
【００１６】
図１の製品を、デニムジャケットの身頃下半分に逢着した。得られたジャケットは、塑性変形可能なプラスチックワイヤが存在するため、身頃の下部を使用者が好みに応じて撚れ感のあるものとし、上部と下部で風合いの異なる妙味あるジャケットとして、楽しく着用できる。また、プラスチックワイヤは任意に変形可能であるので、使用者は、最初の撚れ感を解消したい場合には、ジャケットの下部をシワのない状態に復元したり、また異なる状態の撚れ感となるようにシワを寄せて着用することもできる。
【００１７】
図２の製品を芯地として、デニム製のショルダーバッグを製造した。該ショルダーバッグは、使用者が、プラスチックワイヤを任意に折り曲げ、最初からシワが存在するような撚れ感のある、ユーズド風（古物風）のバッグとして、使用できる。
【００１８】
図３の製品を、シャツの襟の芯地として使用することにより、使用者はシャツの襟を任意に変形して、意匠性よく着用できる。
【００１９】
図１の製品を、ジーンズのポケットの芯地として使用することにより、使用者がポケットを任意にユーズド風(古着風)に変形されて着用できる。
【００２０】
図１の製品を、ジーンズの裾部分の裏面に、プラスチックワイヤ３が縦方向になるように装着することにより、使用者が、ジーンズを、好みに応じて撚れ感や丈を調節して着用できる。
【図面の簡単な説明】
【００２１】
【図１】本考案の製品の一例の断面図である。
【図２】本考案の製品の一例の断面図である。
【図３】本考案の製品の一例の断面図である。
【図４】本考案の製品の一例の平面図である。
【符号の説明】
【００２２】
１    布帛
１ａ  不織布
２ａ  接着シート
２ｂ  接着剤層
３    プラスチックワイヤ
４    耳部
【図１】
0003129338.tif 000003
【図２】
0003129338.tif 000004
【図３】
0003129338.tif 000005
【図４】
0003129338.tif 000006